(57)【特許請求の範囲】
【請求項１】
印刷物上の互いに近接した位置に印刷され、湿し水の供給を変更した場合に印刷後の印刷物の濃度変化に互いに差がある３種類の検出パッチを使用し、湿し水の供給量を制御する湿し水供給方法であって、
前記３種類の検出パッチを、網点面積率がほぼ１００％である第１の検出パッチと、網点面積率が（ｋ×１００）％であり、互いに異なる線数を有する第２および第３検出パッチとした場合に、
印刷物から前記第１のパッチの濃度Ｄｓと、前記第２のパッチの濃度Ｄｆと、前記第３のパッチの濃度Ｄｒと、を測定する濃度測定工程と、
ユール・ニールセンの式を用いた下記式（Ａ）（Ｂ）を使用して、前記測定結果に基づいて係数Ｎｆ、Ｎｒを求める第１計算工程と、
前記係数ＮｆおよびＮｒを各々所定の割合により加算または減算して係数Ｎを求める第２計算工程と、
前記第２計算工程により得られた係数Ｎに基づいて湿し水の調整を行う湿し水調整工程と、を備えた湿し水供給方法。
Ｄｆ＝−Ｎｆ・Ｌｏｇ｛１−ｋ（１−１０（−Ｄｓ／Ｎｆ））｝  ・・（Ａ）
Ｄｒ＝−Ｎｒ・Ｌｏｇ｛１−ｋ（１−１０（−Ｄｓ／Ｎｒ））｝  ・・（Ｂ）
【請求項２】
前記湿し水調整工程は、さらに前記係数Ｎに基づいて下記式（Ｃ）により水濃度係数Ｄｗを演算する第３計算工程を備え、この第３計算工程により求めた水濃度係数Ｄｗにより湿し水量の調整を行うようにしたことを特徴とする請求項１に記載の湿し水供給方法。
Ｄｗ＝１／（１−１０（−Ｄｓ／Ｎ））                      ・・（Ｃ）
【請求項３】
印刷物上の互いに近接した位置に印刷され、湿し水の供給を変更した場合に印刷後の印刷物の濃度変化に互いに差がある３種類の検出パッチを使用し、湿し水の供給量を制御する湿し水供給方法であって、
前記３種類の検出パッチを、網点面積率がほぼ１００％である第１の検出パッチと、網点面積率が（ｋ×１００）％であり、互いに異なる線数を有する第２および第３検出パッチとした場合に、
印刷物から前記第１のパッチの濃度Ｄｓと、前記第２のパッチの濃度Ｄｆと、前記第３のパッチの濃度Ｄｒと、を測定する濃度測定工程と、
ユール・ニールセンの式を用いた下記式（Ａ）（Ｂ）を使用して、前記測定結果に基づいて係数Ｎｆ、Ｎｒを求める第１計算工程と、
各々の係数Ｎｆ、Ｎｒに対応して、湿し水に対する濃度変化量を定量的に示す水濃度係数Ｄｗｆ、Ｄｗｒを求める第４計算工程と、
前記水濃度係数ＤｗｆおよびＤｗｒを各々所定の割合により加算または減算して水濃度係数Ｄｗを求める第５計算工程と、
前記第５計算工程により得られた水濃度係数Ｄｗに基づいて湿し水の調整を行う湿し水調整工程と、を備えた湿し水供給方法。
Ｄｆ＝−Ｎｆ・Ｌｏｇ｛１−ｋ（１−１０（−Ｄｓ／Ｎｆ））｝  ・・（Ａ）
Ｄｒ＝−Ｎｒ・Ｌｏｇ｛１−ｋ（１−１０（−Ｄｓ／Ｎｒ））｝  ・・（Ｂ）
【請求項４】
前記第４計算工程では、下記式（Ｄ）（Ｅ）に基づいて前記水濃度係数Ｄｗｆ、Ｄｗｒを求めることを特徴とする請求項３に記載の湿し水供給方法。
Ｄｗｆ＝１／（１−１０（−Ｄｓ／Ｎｆ））                  ・・（Ｄ）
Ｄｗｒ＝１／（１−１０（−Ｄｓ／Ｎｒ））                  ・・（Ｅ）
【請求項５】
式（Ａ）（Ｂ）に代えて代替式（Ｆ）（Ｇ）を用いるようにしたことを特徴とする請求項１ないし４のいずれかに記載の湿し水供給方法。
Ｄｆ＝−Ｎｆ・Ｌｏｇ｛１−ｋ（１−１０（−Ｄｓ））｝      ・・（Ｆ）
Ｄｒ＝−Ｎｒ・Ｌｏｇ｛１−ｋ（１−１０（−Ｄｓ））｝      ・・（Ｇ）
【発明の詳細な説明】
【０００１】
【発明の属する技術分野】
この発明は、印刷機における湿し水の供給量を調整する湿し水供給方法に関する。
【０００２】
【従来の技術】
印刷機においては、湿し水およびインキの供給量が印刷結果に大きな影響を与える。このため、印刷機においては、湿し水およびインキの供給量を適正に調整する必要がある。
【０００３】
湿し水やインキの量を自動的検出して湿し水およびインキの供給量を制御する方法としては、例えば、インキ練りローラ上のインキの膜厚と水の膜厚とを赤外線センサ等を利用して測定する装置が提案されている。しかしながら、このような装置を利用した場合には、印刷時の環境の変化に追従することが困難であり、また、装置自体のコストも極めて高価なものとなる。
【０００４】
このため、特許第２８３１１０７号においては、印刷物のベタ部分及び網点部分の濃度を検出し、インキ供給量及び湿し水供給量変化に対するベタ部分及び網点部分の濃度変化特性に基づいて、予め入力された目標ベタ部分及び網点部分の濃度と、検出手段により得られた印刷物のベタ部分及び網点部分の濃度とを比較演算し、この比較演算の結果に基づいてインキ供給量及び湿し水供給量を同時に制御する色調制御装置が提案されている。
【０００５】
湿し水の供給量とインキの供給量との間には密接な関係があり、特許第２８３１１０７号に記載されたように湿し水の供給量とインキの供給量とを同時に変更した場合には、両者が互いに影響して必要な濃度値に収束しない場合が多い。
【０００６】
そこで本出願人は、２００１年特許願第３１６２９６号の出願明細書に記載されるような新規な湿し水およびインキ供給方法を提案している。上記明細書の第２実施例に記載された発明では、２種類のパッチの濃度を測定し、ユール・ニールセンの方程式に基づいて係数Ｎを求めるようにしている。そして、当該係数Ｎもしくはこの係数Ｎに基づいて計算された水濃度係数Ｄｗｎが所定の値になるように湿し水を調整するようにしており、湿し水の自動調整方法として効果があった。
【０００７】
【発明が解決しようとする課題】
上記方法は効果があるものの、使用する万線パッチの線数の大小によって湿し水量に対する濃度変化特性が変わるという傾向があった。例えば線数が粗い場合は湿し水量の変化に対して反応が重く濃度変化量が少ない比較的安定的な傾向になり、また線数が細かい場合は湿し水量の変化に対し機敏に反応しすぎる傾向にあった。従って、前者の場合は安定しているが俊敏な制御には向かず、また後者の場合は、俊敏な制御を行えるが過剰制御になって安定性にかけるという問題があった。
【０００８】
この発明は上記課題を解決するためになされたものであり、上記万線パッチの線数の相違による傾向をふまえて、湿し水量の変化に対して機敏かつ安定的に濃度変化が現れるように改良した湿し水の供給方法を提供することを目的とするものであって、前記細万線パッチおよび粗万線パッチに基づく演算結果を適宜の割合で加算または減算するものである。
【０００９】
【課題を解決するための手段】
請求項１に記載の発明は、印刷物上の互いに近接した位置に印刷され、湿し水の供給を変更した場合に印刷後の印刷物の濃度変化に互いに差がある３種類の検出パッチを使用し、湿し水の供給量を制御する湿し水供給方法であって、前記３種類の検出パッチを、網点面積率がほぼ１００％である第１の検出パッチと、網点面積率が（ｋ×１００）％であり、互いに異なる線数を有する第２および第３検出パッチとした場合に、印刷物から前記第１のパッチの濃度Ｄｓと、前記第２のパッチの濃度Ｄｆと、前記第３のパッチの濃度Ｄｒと、を測定する濃度測定工程と、ユール・ニールセンの式を用いた下記式（Ａ）（Ｂ）を使用して、前記測定結果に基づいて係数Ｎｆ、Ｎｒを求める第１計算工程と、前記係数ＮｆおよびＮｒを各々所定の割合により加算または減算して係数Ｎを求める第２計算工程と、前記第２計算工程により得られた係数Ｎに基づいて湿し水の調整を行う湿し水調整工程と、を備える。
【００１０】
Ｄｆ＝−Ｎｆ・Ｌｏｇ｛１−ｋ（１−１０（−Ｄｓ／Ｎｆ））｝  ・・（Ａ）
Ｄｒ＝−Ｎｒ・Ｌｏｇ｛１−ｋ（１−１０（−Ｄｓ／Ｎｒ））｝  ・・（Ｂ）
【００１１】
請求項２に記載の発明は、請求項１に記載の湿し水供給方法であって、前記湿し水調整工程は、さらに前記係数Ｎに基づいて下記式（Ｃ）により水濃度係数Ｄｗを演算する第３計算工程を備え、この第３計算工程により求めた水濃度係数Ｄｗにより湿し水量の調整を行うようにしたことを特徴とする。
【００１２】
Ｄｗ＝１／（１−１０（−Ｄｓ／Ｎ））                      ・・（Ｃ）
【００１３】
請求項３に記載の発明は、印刷物上の互いに近接した位置に印刷され、湿し水の供給を変更した場合に印刷後の印刷物の濃度変化に互いに差がある３種類の検出パッチを使用し、湿し水の供給量を制御する湿し水供給方法であって、前記３種類の検出パッチを、網点面積率がほぼ１００％である第１の検出パッチと、網点面積率が（ｋ×１００）％であり、互いに異なる線数を有する第２および第３検出パッチとした場合に、印刷物から前記第１のパッチの濃度Ｄｓと、前記第２のパッチの濃度Ｄｆと、前記第３のパッチの濃度Ｄｒと、を測定する濃度測定工程と、ユール・ニールセンの式を用いた下記式（Ａ）（Ｂ）を使用して、前記測定結果に基づいて係数Ｎｆ、Ｎｒを求める第１計算工程と、各々の係数Ｎｆ、Ｎｒに対応して、湿し水に対する濃度変化量を定量的に示す水濃度係数Ｄｗｆ、Ｄｗｒを求める第４計算工程と、前記水濃度係数ＤｗｆおよびＤｗｒを各々所定の割合により加算または減算して水濃度係数Ｄｗを求める第５計算工程と、前記第５計算工程により得られた水濃度係数Ｄｗに基づいて湿し水の調整を行う湿し水調整工程と、を備える。
【００１４】
Ｄｆ＝−Ｎｆ・Ｌｏｇ｛１−ｋ（１−１０（−Ｄｓ／Ｎｆ））｝  ・・（Ａ）
Ｄｒ＝−Ｎｒ・Ｌｏｇ｛１−ｋ（１−１０（−Ｄｓ／Ｎｒ））｝  ・・（Ｂ）
【００１５】
請求項４に記載の発明は、請求項３に記載の湿し水供給方法であって、前記第４計算工程では、下記式（Ｄ）（Ｅ）に基づいて前記水濃度係数Ｄｗｆ、Ｄｗｒを求めることを特徴とする。
【００１６】
Ｄｗｆ＝１／（１−１０（−Ｄｓ／Ｎｆ））                  ・・（Ｄ）
Ｄｗｒ＝１／（１−１０（−Ｄｓ／Ｎｒ））                  ・・（Ｅ）
【００１７】
請求項５に記載の発明は、請求項１ないし４のいずれかに記載の湿し水供給方法であって、式（Ａ）（Ｂ）に代えて代替式（Ｆ）（Ｇ）を用いるようにしたことを特徴とする。
【００１８】
Ｄｆ＝−Ｎｆ・Ｌｏｇ｛１−ｋ（１−１０（−Ｄｓ））｝      ・・（Ｆ）
Ｄｒ＝−Ｎｒ・Ｌｏｇ｛１−ｋ（１−１０（−Ｄｓ））｝      ・・（Ｇ）
【００１９】
【発明の実施の形態】
以下、この発明の実施の形態を図面に基づいて説明する。図１はこの発明を適用する印刷装置の概要図である。
【００２０】
この印刷装置は、第１、第２の版胴１１、１２に保持された画像が記録されていない印刷版に画像を記録して製版した後、この印刷版に供給されたインキを第１、第２のブランケット胴１３、１４を介して圧胴１５に保持された印刷用紙に転写することにより印刷を行うものである。
【００２１】
この印刷装置は、図１において実線で示す第１の印刷位置と二点鎖線で示す画像記録位置との間を移動可能な第１の版胴１１と、図１において実線で示す第２の印刷位置と上記画像記録位置との間を移動可能な第２の版胴１２とを有する。
【００２２】
第１の印刷位置に移動した第１の版胴１１の周囲には、印刷版に例えばブラック（Ｋ）のインキを供給するためのインキ供給装置２０ａと、印刷版に例えばマゼンタ（Ｍ）のインキを供給するためのインキ供給装置２０ｂと、印刷版に湿し水を供給するための湿し水供給装置２１ａ、２１ｂとが配置されている。また、第２の印刷位置に移動した第２の版胴１２の周囲には、印刷版に例えばシアン（Ｃ）のインキを供給するためのインキ供給装置２０ｃと、印刷版に例えばイエロー（Ｙ）のインキを供給するためのインキ供給装置２０ｄと、印刷版に湿し水を供給するための湿し水供給装置２１ｃ、２１ｄとが配置されている。さらに、画像記録位置に移動した第１の版胴１１または第２の版胴１２の周囲には、給版部２３と、排版部２４と、画像記録装置２５と、現像処理装置２６とが配置されている。
【００２３】
また、この印刷装置は、第１の版胴１１と当接可能に設けられた第１のブランケット胴１３と、第２の版胴１２と当接可能に設けられた第２のブランケット胴１４と、第１、第２のブランケット胴１３、１４に対して互いに異なる位置で当接可能に設けられた圧胴１５と、給紙部２７から供給された印刷用紙を圧胴１５に渡すための給紙胴１６と、圧胴１５から受け取った印刷済の印刷用紙を排紙部２８に排出するためのチェーン１９を巻回した排紙胴１７と、印刷用紙に印刷された検出パッチの濃度を測定するための撮像部４０と、ブランケット洗浄装置２９とを有する。
【００２４】
上記第１、第２の版胴１１、１２は、それぞれ図示しない版胴移動機構と連結されており、この版胴移動機構の駆動により、上述した第１または第２の印刷位置と画像記録位置との間を往復移動する。また、図示しないモータの駆動により、第１の版胴１１は、第１の印刷位置において第１のブランケット胴１３と同期して回転し、第２の版胴１２は、第２の印刷位置において第２のブランケット胴１４と同期して回転するよう構成されている。さらに、画像記録位置近傍には、図示しない版胴回転機構が配設されており、第１、第２の版胴１１、１２は、いずれも、画像記録位置に移動した状態において、この版胴回転機構の駆動により回転するよう構成されている。
【００２５】
画像記録位置に移動した第１の版胴１１または第２の版胴１２の周囲には、給版部２３と排版部２４とが配置されている。
【００２６】
給版部２３には、画像が記録されていない長尺ロール状の印刷版を光密な状態で収納する供給カセット６３と、この供給カセット６３から引き出した印刷版の先端部を第１の版胴１１または第２の版胴１２の表面に案内するためのガイド部材６４およびガイドローラ６５と、長尺の印刷版を切断してシート状の印刷版とするためのカッター６６とが配設されている。また、第１、第２の版胴１１、１２には、給版部２３より供給された印刷版の先端部と後端部とをくわえるための図示しない一対のくわえ爪が配設されている。
【００２７】
排版部２４は、印刷完了後に第１の版胴１１または第２の版胴１２上に保持された印刷版を剥がすための爪機構７３と、爪機構７３の作用により剥がされた印刷版を排出カセット６８に搬送するためのコンベア機構６９と、排出カセット６８を有する。
【００２８】
給版部２３における供給カセット６３から引き出された印刷版の先端部は、ガイドローラ６５およびガイド部材６４により案内され、第１の版胴１１または第２の版胴１２の一方のくわえ爪にくわえられる。そして、第１の版胴１１または第２の版胴１２が版胴回転機構３０の駆動により回転し、印刷版が第１の版胴１１または第２の版胴１２の外周部に巻き付けられる。そして、カッター６６で切断された印刷版の後端部は、他方のくわえ爪によりくわえられる。この状態において、第１の版胴１１または第２の版胴１２を低速で回転させながら、画像記録装置２５により第１の版胴１１または第２の版胴１２の外周部に保持された印刷版の表面に変調されたレーザビームを照射し、画像を記録する。
【００２９】
なお、第１の版胴１１の外周部に装着された印刷版Ｐには、画像記録装置２５により、図２（ａ）に示すように、ブラックのインキで印刷を行うための画像領域６７ａと、マゼンタのインキで印刷を行うための画像領域６７ｂとが記録される。また、第２の版胴１２の外周部に装着された印刷版Ｐには、画像記録装置２５により、図２（ｂ）に示すように、シアンのインキで印刷を行うための画像領域６７ｃと、イエローのインキで印刷を行うための画像領域６７ｄとが記録される。画像領域６７ａと画像領域６７ｂとは、第１の版胴１１の外周部に装着された状態において、均等に振り分けられた状態（すなわち互いに１８０度離隔した状態）となる位置に記録される。同様に、画像領域６７ｃと画像領域６７ｄとは、第２の版胴１２の外周部に装着された状態において、均等に振り分けられた状態（すなわち互いに１８０度離隔した状態）となる位置に記録される。
【００３０】
再度図１を参照して、上述したように、第１の印刷位置に移動した第１の版胴１１の周囲には、インキ供給装置２０ａとインキ供給装置２０ｂとが、また、第２の印刷位置に移動した第２の版胴１２の周囲には、インキ供給装置２０ｃとインキ供給装置２０ｄとが配置されている。これらのインキ供給装置２０ａ、２０ｂ、２０ｃおよび２０ｄ（これらを総称する場合には「インキ供給装置２０」という）は、各々、複数のインキローラ７１とインキ供給部７２とを有する。
【００３１】
インキ供給装置２０ａ、２０ｂのインキローラ７１は、図示しないカム等の作用で揺動動作を行う。そして、この揺動動作により、第１の版胴１１の外周部に保持した印刷版Ｐに形成された２個の画像領域６７ａ、６７ｂのうちの任意の画像領域に、インキ供給装置２０ａまたは２０ｂのインキローラ７１が接触することにより、必要な画像領域にのみインキを供給しうる構成となっている。また、同様に、インキ供給装置２０ｃ、２０ｄのインキローラ７１も、図示しないカム等の作用で揺動動作を行う。そして、この揺動動作により、第２の版胴１２の外周部に保持した印刷版Ｐに形成された２個の画像領域６７ｃ、６７ｄのうちの任意の画像領域に、インキ供給装置２０ｃまたは２０ｄのインキローラ７１が接触することにより、必要な画像領域にのみインキを供給しうる構成となっている。
【００３２】
図３は上述したインキ供給部７２の側面概要図であり、図４はその平面図である。なお、図４においては、インキ３の図示を省略している。
【００３３】
このインキ供給部７２は、その軸線方向が印刷物の幅方向（印刷機による印刷方向と直交する方向）に向けて配置されたインキ元ローラ１と、印刷物の幅方向に対して分割されたＬ個の領域に対応してＬ個列設され、各々がインキ元ローラ１の外周面に対する開度を調整可能に構成されたインキキー２（１）、２（２）・・・２（Ｌ）（この明細書において、これらを総称する場合には「インキキー２」という）とを備え、これらのインキ元ローラ１とインキキー２とで構成されるインキつぼ内にインキ３を貯留可能な構成となっている。
【００３４】
各インキキー２の裏面側には、各インキキー２のインキ元ローラ１に対する開度を変更するために、インキキー２をインキ元ローラ１の表面に向けて各々押圧するための、Ｌ個の偏芯カム４が配設されている。これらの偏芯カム４は、各々、軸５を介して、偏芯カム４を回転駆動するためのＬ個のパルスモータ６と連結されている。
【００３５】
パルスモータ６に対し、インキキー駆動パルスを印加した場合には、パルスモータ６の駆動により軸５を中心に偏芯カム４が回転し、各インキキー２への押圧力が変更されることにより、各インキキー２のインキ元ローラ１に対する開度が変更され、印刷版へのインキの供給量が変更される。
【００３６】
再度図１を参照して、湿し水供給装置２１ａ、２１ｂ、２１ｃおよび２１ｄ（これらを総称する場合には「湿し水供給装置２１」という）は、上記インキ供給装置２０により印刷版Ｐにインキを供給する前に、印刷版Ｐに湿し水を供給するものである。これらの湿し水装置２１のうち、湿し水供給装置２１ａは印刷版Ｐにおける画像領域６７ａに、湿し水供給装置２１ｂは印刷版Ｐにおける画像領域６７ｂに、湿し水供給装置２１ｃは印刷版Ｐにおける画像領域６７ｃに、また、湿し水供給装置２１ｄは印刷版Ｐにおける画像領域６７ｄに、各々湿し水を供給する。
図５は、上述した湿し水供給装置２１ｂの側面概要図である。
【００３７】
この湿し水供給装置２１ｂは、湿し水を貯留する水舟３１と、図示しないモータの駆動により回転する水元ローラ３２とからなる湿し水供給部と、水元ローラ３２により供給された湿し水を第１の版胴１１の外周部に装着された印刷版の表面に転移させるための二本の水ローラ３３、３４とを備える。この湿し水供給装置においては、水元ローラ３２の回転数を変更することにより、印刷版の表面に供給する湿し水の供給量を調整することができる。
【００３８】
なお、他の３個の湿し水供給装置２１ａ、２１ｃ、２１ｄも、この湿し水供給装置２１ｂと同様の構成を有する。
【００３９】
再度図１を参照して、画像記録位置に移動した第１の版胴１１または第２の版胴１２の下方には、現像処理装置２６が配設されている。この現像処理装置２６は、現像部、定着部および絞り部を有し、図１において二点鎖線で示す待機位置と実線で示す現像処理位置との間を昇降可能に構成されている。
【００４０】
この現像処理装置２６によって画像記録装置２５により画像が記録された印刷版Ｐを現像処理する場合においては、第１の版胴１１または第２の版胴とともに回転する印刷版Ｐに対して、現像部、定着部および絞り部を順次接触させる。
【００４１】
第１、第２の版胴１１、１２と当接可能に設けられた第１、第２のブランケット胴１３、１４は、第１、第２の版胴１１、１２と同一の直径を有し、その外周部にはインキ転写用のブランケットが装着されている。そして、この第１、第２のブランケット胴１３、１４は、第１、第２の版胴１１、１２および圧胴１５に対し、図示しない胴入れ機構により接離自在な構成となっている。
【００４２】
第１、第２のブランケット胴１３、１４の間に配設されたブランケット洗浄装置２９は、巻き出しロールから複数の圧接ローラを介して巻き取りロールに至る経路に貼張された長尺の洗浄布に洗浄液を供給し、この洗浄布を第１、第２のブランケット胴１３、１４に対して当接させた上、摺動させることにより、第１、第２のブランケット胴１３、１４の表面を洗浄するものである。
【００４３】
第１、第２のブランケット胴１３、１４と当接可能に設けられた圧胴１５は、第１、第２の版胴１１、１２および第１、第２のブランケット胴１３、１４の直径の１／２の直径を有する。また、圧胴１５は、印刷用紙の先端を保持して搬送するための図示しないグリッパを有する。
【００４４】
また、圧胴１５に隣接して配設された給紙胴１６は、圧胴１５と同一の直径を有する。この給紙胴１６は、往復移動する吸着盤７４により給紙部２７から１枚ずつ供給された印刷用紙の先端部を図示しないグリッパにより保持して搬送する。グリッパにより保持された印刷用紙の先端部は、給紙胴１６から圧胴１５への印刷用紙の受け渡し時に、圧胴１５のグリッパにより保持される。
【００４５】
また、圧胴１５に隣接して配設された排紙胴１７は、圧胴１５と同一の直径を有する。この排紙胴１７は、その両端部に一対のチェーン１９を巻回した構造を有し、この一対のチェーン１９を連結する図示しない連結部材上に、各々後述するグリッパ４１が配設されている。圧胴１５のグリッパにより保持された印刷用紙の先端部は、圧胴１５から排紙胴１７への印刷用紙の受け渡し時に、排紙胴１７のいずれかのグリッパ４１により保持される。そして、この印刷用紙は、チェーン１９の移動に伴って、撮像部４０によりそこに印刷された検出パッチの濃度を測定された後、排紙部２８上に搬送されて排出される。
【００４６】
前記給紙胴１６は、図示しないベルトを介して駆動モータと連結されている。そして、給紙胴１６、圧胴１５、排紙胴１７、第１、第２のブランケット胴１３、１４は、各々その端部に付設された歯車により連結されている。さらに、第１のブランケット胴１３と第１の印刷位置に移動した第１の版胴１１、および、第２のブランケット胴１４と第２の印刷位置に移動した第２の版胴１２とは、その端部に付設された歯車により各々連結されている。従って、図示しない駆動モータの駆動により、これらの給紙胴１６、圧胴１５、排紙胴１７、第１、第２のブランケット胴１３、１４、第１、第２の版胴１１、１２は、互いに同期して回転する。
【００４７】
図６は、上述した印刷用紙に印刷された検出パッチの濃度を測定するための撮像部４０を上述したチェーン１９とともに示す側面概要図である。
【００４８】
一対のチェーン１９は、図１に示す排紙胴１７の両端部と一対の大径のスプロケット１８との間に無端状に掛け渡されている。そして、上述したように、一対のチェーン１９を連結する図示しない連結部材上には、各々、印刷用紙Ｓの先端部を咥えて搬送するためのグリッパ４１が配設されている。
【００４９】
なお、一対のチェーン１９の長さは、排紙胴１７の周長の整数倍の長さとなっており、チェーン１９上におけるグリッパ４１の配置間隔は、排紙胴７の周長と等しくなるように設定されている。そして、各グリッパ４１は、図示しないカム機構によって排紙胴７に設けられたグリッパと同期して開閉するように構成されており、排紙胴７から印刷用紙Ｓを受け取り、チェーン１９の回転に伴って印刷用紙Ｓを搬送した後、排紙部２８上に排出する。
【００５０】
この印刷用紙Ｓの搬送時には、印刷用紙Ｓの先端部のみをグリッパ４１により咥えて搬送するため、印刷用紙Ｓの後端は固定されていない状態で搬送されることになる。このため、この搬送時には、印刷用紙Ｓのばたつきが発生し、後述する撮像部４０による検出パッチの濃度測定動作に支障を来すことになる。このため、この印刷装置においては、排紙部２８の前方側において印刷用紙Ｓの搬送状態を安定させる吸着ローラ４３を備えている。
【００５１】
この吸着ローラ４３は、その表面に微細な吸着孔を多数備えた中空状のローラから構成されており、その中空部は図示しない真空ポンプと接続されている。この吸着ローラ４３は、その軸線が一対のチェーン１９間に掛け渡されたグリッパ４１に対し平行となり、チェーン１９の下方通過位置と略同じ高さにその頂部が位置するように配置されている。
【００５２】
なお、吸着ローラ４３は、グリッパ４１の通過速度に合わせて回転駆動する、もしくは、回転自在に構成されている。従って、印刷用紙Ｓは、吸着ローラ４３上を通過する際には吸着ローラ４３の表面に吸着された状態となって搬送されることになり、この吸着ローラ４３上の部分では印刷用紙Ｓはばたつかない。なお吸着ローラ４３に代えて、前記印刷用紙Ｓを平面的に吸着するような吸着板部材を使用してもよい。
【００５３】
上記撮像部４０は、搬送される印刷用紙を照明する照明部４４と、この照明部４４により照明された印刷用紙Ｓ上の検出パッチを撮像してその濃度を測定するための撮像部４５とからなる。照明部４４は、吸着ローラ４３に沿って配置され、吸着ローラ４３上の印刷用紙Ｓを照明する複数の線状光源からなり、チェーン１９の上下走行領域間に設けられている。
【００５４】
撮像部４５は、遮光および防塵のための筐体４６と、この筐体内部に配置されたミラー４９、レンズ４８、ＣＣＤラインセンサ４７とを備える。この撮像部４５は、吸着ローラ４３上の印刷用紙Ｓの画像を照明部４４のスリットを通して撮像するものであり、ミラー４９で折り返された画像の入射光は、レンズ４８を通ってＣＣＤラインセンサ４７で受光される。
【００５５】
図７は、この印刷装置の主要な電気的構成を示すブロック図である。この印刷装置は、装置の制御に必要な動作プログラムが格納されたＲＯＭ１４１と、制御時にデータ等が一時的にストアされるＲＡＭ１４２と、論理演算を実行するＣＰＵ１４３とからなる制御部１４０を備える。この制御部は１４０は、インタフェース１４４を介して、インキ供給装置２０、湿し水供給装置２１、画像記録装置２５、現像処理装置２６、ブランケット洗浄装置２９、撮像部４０、第１、第２のブランケット胴１３、１４の胴入れ機構等における駆動部等の駆動信号を発生させる駆動回路１４５と接続されている。印刷装置はこの制御部１４０により制御され、後述する製版動作および印刷動作を実行する。
【００５６】
次に、この印刷装置による製版および印刷動作について説明する。図８は、この印刷装置による製版および印刷動作の概要を示すフローチャートである。なお、この印刷および製版動作は、印刷用紙にイエロー、マゼンタ、シアン、ブラックの４色のインキで多色印刷を行う場合のものである。
【００５７】
まず、第１、第２の版胴１１、１２上において印刷版Ｐに画像を記録し、現像処理を行う製版工程を実行する（ステップＳ１）。この製版工程は、サブルーチンとしての図９のフローチャートに示す工程に従って実行される。
【００５８】
すなわち、最初に第１の版胴１１を、図１において二点鎖線で示す画像記録位置に移動させる（ステップＳ１１）。
【００５９】
次に、第１の版胴１１の外周に印刷版Ｐを供給する（ステップＳ１２）。この印刷版Ｐの供給は、供給カセット６３から引き出した印刷版Ｐの先頭部とカッター６６で切断された印刷版Ｐの後端部とを図示しない一対のくわえ爪でくわえることにより実行される。
【００６０】
続いて、第１の版胴１１の外周に保持された印刷版Ｐに画像を記録する（ステップＳ１３）。この画像の記録は、第１の版胴１１を低速で回転させるとともに、画像記録装置２５から第１の版胴１１の外周に保持された印刷版Ｐに変調されたレーザビームを照射することにより実行される。
【００６１】
次に、画像が記録された印刷版Ｐを現像処理する（ステップＳ１４）。この現像処理は、現像処理装置２６を図１において二点鎖線で示す待機位置から実線で示す現像処理位置まで上昇させた後、第１の版胴１１とともに回転する印刷版Ｐに対して、現像部、定着部および絞り部を順次接触させることにより実行される。
【００６２】
上記現像処理が終了すれば、第１の版胴１１を図１において実線で示す第１の印刷位置まで移動させる（ステップＳ１５）。
【００６３】
続いて、上記ステップＳ１１〜１５と同様の動作により、第２の版胴１２の外周に保持される印刷版Ｐに対する製版工程を実行する（ステップＳ１６〜２０）。  そして、第１、第２の版胴１１、１２の外周に保持される印刷版Ｐへの製版が終了すれば、製版工程を終了する。
【００６４】
再度図８を参照して、製版工程が完了すれば、第１、第２の版胴１１、１２上の印刷版Ｐを用いて印刷用紙に印刷を行う印刷工程を実行する（ステップＳ２）。この印刷工程は、次のようにして実行される。
【００６５】
すなわち、先ず、各湿し水供給装置２１および各インキ供給装置２０を第１、第２の版胴１１、１２上に保持された印刷版Ｐのうちの対応する画像領域とのみ当接させる。これにより、各画像領域６７ａ、６７ｂ、６７ｃ、６７ｄには対応する各湿し水供給装置２１および各インキ供給装置２０から湿し水とインキとが供給される。そして、印刷版Ｐに供給されたインキは、第１、第２のブランケット胴１３、１４の対応する領域に転写される。
【００６６】
そして、印刷用紙を給紙胴１６に供給する。この印刷用紙は、給紙胴１６から圧胴１５に渡される。この状態で、圧胴１５が回転を続けると、圧胴１５は、第１、第２の版胴１１、１２および第１、第２のブランケット胴１３、１４の１／２の直径を有することから、圧胴１５の外周部に保持された印刷用紙には、その１回転目においてブラックとシアンのインキが、また、その２回転目においてマゼンタとイエローのインキが転写される。
【００６７】
このようにして、４色の印刷が終了した印刷用紙の先端部は、圧胴１５から排紙胴１７に渡される。そして、４色の印刷が終了した印刷用紙は、一対のチェーン１９の駆動により、排紙部２８に向けて搬送され、撮像部４０において検出パッチの濃度を測定された後、排紙部２８上に排出される。
【００６８】
印刷工程が終了すれば、印刷に使用した印刷版Ｐを排出する（ステップＳ３）。この印刷版Ｐの排出を行うためには、最初に第１の版胴１１を、図１において二点鎖線で示す画像記録位置に移動させる。そして、第１の版胴１１を反時計回りに回転させるとともに、第１の版胴１１上に保持された印刷版Ｐの端部を爪機構７３により剥がした後、この印刷版Ｐをコンベア機構６９により案内して、排出カセット６８内に排出する。そして、第１の版胴１１を第１の印刷位置に復帰させた後、第２の版胴１２を第２の印刷位置から画像記録位置に移動させ、上記同様の動作を実行することにより、第２の版胴１２上に保持された印刷版Ｐを排出カセット６８内に排出する。
【００６９】
印刷版Ｐの排出工程が完了すれば、ブランケット胴洗浄装置２９により第１、第２のブランケット胴１３、１４を洗浄する（ステップＳ４）。
【００７０】
第１、第２のブランケット胴１３、１４の洗浄が終了すれば、さらに別の印刷物の印刷作業を行うか否かを確認する（ステップＳ５）。他の印刷作業を行う場合には、ステップ１〜４の動作を繰り返す。
【００７１】
印刷作業が終了した場合には、インキの洗浄を行う（ステップＳ６）。このインキの洗浄は、各インキ供給装置２０に配設された図示しないインキ洗浄装置により、各インキ供給装置２０におけるインキローラ７１やインキ供給部７２に付着するインキを除去および洗浄することにより実行される。
【００７２】
インキの洗浄工程が終了すれば、全ての工程を完了する。
【００７３】
以上のような構成を有する印刷装置において、印刷版Ｐに供給すべきインキと湿し水の供給量を制御するためには、管理スケール等とも呼称される検出パッチが利用される。
【００７４】
図１０は、印刷が完了した後の印刷用紙１００上に印刷された第１の検出パッチ１０１、第２の検出パッチ１０２、ならびに第３の検出パッチ１０３を示す説明図である。
【００７５】
これら第１〜第３の検出パッチ１０１〜１０３は、印刷用紙１００の一方の端部とこの印刷用紙１００における画像領域の端部との間の領域に印刷されている。第１〜第３の検出パッチ１０１〜１０３は、上述した各インキキー２と同様、印刷物の幅方向（印刷方向と直交する方向）に対して分割されたＬ個の領域に対応して、ＹＭＣＫ４色分の第１〜第３の検出パッチが互いにＬ字状に組み合わされた状態で配置されている。
【００７６】
これらの第１〜第３の検出パッチ１０１〜１０３としては、湿し水とインキとの供給量を変更した場合に印刷後の濃度変化に差があるものが採用される。この実施の形態では、第１の検出パッチ１０１としては網点面積率がほぼ１００％である例えばベタパッチが使用され、他の第２および第３の検出パッチ１０２、１０３としては網点面積率が例えば５０％の万線パッチが使用される。そして、第２の検出パッチ１０２としては例えば線幅５０μｍ（２４０ＬＰＩ相当）の細万線が使用され、第３の検出パッチ１０３としては例えば線幅１００μｍ（１２０ＬＰＩ相当）の粗万線が使用される。
【００７７】
なお、実機には第２および第３の検出パッチとして横万線パッチを用いているが、その他の万線または網点パッチなどを使用してもよい。例えば図１１は、第１〜第３の検出パッチ１０１〜１０３として使用可能な各種の検出パッチを模式的に示す説明図である。
【００７８】
ここで、図１１における（ａ）はピッチ５０μｍの横万線、（ｂ）はピッチ５０μｍの横万線とピッチ５０μｍの縦番線の組み合わせ、（ｃ）はピッチ１００μｍの横万線、（ｄ）はピッチ１００μｍの横万線とピッチ１００μｍの縦番線の組み合わせ、（ｅ）は網点面積率が５０％の網点、（ｆ）は網点面積率が１００％のベタパッチである。
【００７９】
第１の検出パッチ１０１としては、図１１（ｆ）に示すベタパッチを使用することが好ましい。但し、網点面積率が１００％に近い網点のパッチを使用してもよい。第２の検出パッチとしては、図１１（ａ）〜（ｂ）に示す細万線のパッチを使用することができる。また、網点が比較的小さなパッチを使用するようにしてもよい。同様に第３の検出パッチとしては、図１１（ｃ）〜（ｄ）に示す粗万線のパッチを使用することができる。また、網点の比較的大きなパッチを使用するようにしてもよい。なお、以下の説明では、第２の検出パッチ１０２を便宜上細万線パッチとし、第３の検出パッチを粗万線パッチとしているが、両者を入れ替えて設定してもよい。
【００８０】
次に、上述した第１〜第３の検出パッチ１０１〜１０３を使用して印刷版Ｐに供給すべき湿し水の供給量を制御する制御動作について説明する。
【００８１】
この実施の形態では、まず前記第１〜第３の検出パッチ１０１〜１０３が付与された印刷物が測定され、各検出パッチの濃度が得られる。
【００８２】
一般に印刷物の濃度については、印刷におけるドットゲイン効果を含めた網点印刷の反射濃度を予測する式として、下記のユール・ニールセン（Ｙｕｌｅ−Ｎｉｅｌｓｅｎ）の式（１）が公知である。
【００８３】
Ｄｍ＝−Ｎ・Ｌｏｇ｛１−ｋ（１−１０（−Ｄｓ／Ｎ））｝ ・・（１）
ここで、Ｄｓは網点面積率が１００％である第１のパッチを印刷した印刷物の反射濃度であり、Ｄｍは網点面積率が（ｋ×１００）％である第２のパッチを印刷した印刷物の反射濃度、また、Ｎは係数である。
【００８４】
前記係数Ｎは、例えば平成１１年度（社）日本印刷学会による第１０２回春期研究発表会での講演「印刷用紙の点拡がり関数測定と光学的ドットゲインの解析」（三菱製紙株式会社・千葉大学）等に開示があるとおり、一般的には、紙の種類や線数により異なることが知られている。さらに本出願人による研究によれば、前記紙の種類や測定に使用する検出パッチの線数を固定すれば、前記係数Ｎは湿し水量を推定する係数になりうることが判明した。
【００８５】
この実施の形態では、前記第１の検出パッチの濃度をＤｓ、第２の検出パッチの濃度をＤｆ、第３の検出パッチの濃度をＤｒとすると、それぞれの濃度の組み合わせ（ＤｓおよびＤｆ）と、（ＤｓおよびＤｒ）とをそれぞれ個別に前記式（１）に代入し、以下の２式を得ることができる。
【００８６】
Ｄｆ＝−Ｎｆ・Ｌｏｇ｛１−ｋ（１−１０（−Ｄｓ／Ｎｆ））｝ ・・（２）
Ｄｒ＝−Ｎｒ・Ｌｏｇ｛１−ｋ（１−１０（−Ｄｓ／Ｎｒ））｝ ・・（３）
ただし、係数Ｎについては、上記検出パッチの組み合わせ毎にＮｆ，Ｎｒとして区別している。
【００８７】
ここで、上記ユール・ニールセンの式では係数Ｎｆ、Ｎｒについて解析的に解くことはできないことから、測定した反射濃度Ｄｓ、Ｄｍに基づいて一般的な計算手法であるニュートン（Ｎｅｗｔｏｎ）法を用いて係数Ｎｆ、Ｎｒについての収束計算を行なう。
【００８８】
もしくは、計算を簡単にするために上記（２）（３）式に代えて以下の代替式（４）（５）を用いて前記係数Ｎｆ、Ｎｒを求めるようにしてもよい。
【００８９】
Ｄｆ＝−Ｎｆ・Ｌｏｇ｛１−ｋ（１−１０（−Ｄｓ））｝ ・・（４）
Ｄｒ＝−Ｎｒ・Ｌｏｇ｛１−ｋ（１−１０（−Ｄｓ））｝ ・・（５）
上記いずれかの手法を用いることにより前記濃度Ｄｓ、Ｄｆ、Ｄｒに基づいて係数Ｎｆ、Ｎｒを演算することができる。この係数Ｎｆ、Ｎｒが所定の値になるように湿し水を調整することで、適正な湿し水量を維持することができる。
【００９０】
上記に示すように係数Ｎ（同様にＮｆ，Ｎｒ）に基づいて湿し水を調整するようにしてもよいが、本実施の形態では、以下のようにして得られた水濃度係数Ｄｗを使用する。なお、ここでいう水濃度係数Ｄｗとは、湿し水の変化に従って変動する印刷濃度の変化量に対応する値を定量的な係数値として示したものであり、この水濃度係数Ｄｗを所定の値に維持するように湿し水を調整すれば、適正な湿し水量が得られるものである。
【００９１】
まず前記ユール・ニールセンの式（１）を以下のように係数ｋに基づいて変形する。
ｋ＝（１−１０（−Ｄｍ／Ｎ））／（１−１０（−Ｄｓ／Ｎ））・・（６）
【００９２】
ここで使用する第２、第３の検出パッチの網点面積率を５０％とすると、ｋ＝０．５で固定される。そして、面積率が一定の場合、上述した濃度Ｄｓ、Ｄｍが激しく変動することはないため、上記の式の分子部分および分母部分の値は一定範囲内で変化する。特に、本出願人による演算結果においては、上記の式の分母部分がより有効に湿し水量に対応して推移することが判明している。従って、ここでは、上記の式の分母部分を利用して水濃度係数Ｄｗを以下の式（７）のように定義している。
【００９３】
Ｄｗ＝１／（１−１０（−Ｄｓ／Ｎ）） ・・（７）
もちろん、上記定義は一例であり、他の適宜により水濃度係数Ｄｗを設定するようにしてもよい。
【００９４】
上記（７）式における係数Ｎに対しては、上述したように第１および第２の検出パッチ（細万線パッチ）から得た係数Ｎｆと、第１および第３の検出パッチ（粗万線パッチ）から得た係数Ｎｒと、の１２つからなるため、各々の係数Ｎｆ、Ｎｒに対して水濃度係数Ｄｗｆ、Ｄｗｒを演算する。
【００９５】
Ｄｗｆ＝１／（１−１０（−Ｄｓ／Ｎｆ）） ・・（８）
Ｄｗｒ＝１／（１−１０（−Ｄｓ／Ｎｒ）） ・・（９）
【００９６】
上記から求めた水濃度係数Ｄｗｆ、Ｄｗｒは湿し水の変化に従って変動するが、使用しているパッチの線数の相違から、細万線パッチに基づく水濃度係数Ｄｗｆは変動量が激しく湿し水量の変化に対し機敏に応答する。また粗万線パッチに基づく水濃度係数Ｄｗｒは変動量が少なく比較的安定的な傾向を示す。
【００９７】
なお前記水濃度係数Ｄｗｆ、Ｄｗｒは各インキキー領域毎に得られるが、一般に湿し水供給装置は各インキキー毎に湿し水を調整することができない。従って、以下の実施例では、略中央部のインキキー領域の水濃度係数と左右両端部のインキキー領域の水濃度係数とをに基づいて全体に係る水濃度係数を演算するようにしている。すなわち略中央部の水濃度係数を各々Ｄｗｆ１、Ｄｗｒ１、左端部の水濃度係数を各々Ｄｗｆ２、Ｄｗｒ２、右端部の水濃度係数を各々Ｄｗｆ３、Ｄｗｒ３とすると、これらを融合した水濃度係数Ｄｗｆ０、Ｄｗｒ０を以下のように定義する。
【００９８】
Ｄｗｆ０＝ａ・｛Ｄｗｆ１−（Ｄｗｆ２＋Ｄｗｆ３）／２｝
＋ｂ・Ｄｗｆ１＋ｃｆ  ・・（１０）
Ｄｗｒ０＝ａ・｛Ｄｗｒ１−（Ｄｗｒ２＋Ｄｗｒ３）／２｝
＋ｂ・Ｄｗｒ１＋ｃｒ  ・・（１１）
なお、上式におけるａ、ｂ、ｃｆ、ｃｒは予め試験的に最適化された係数である。
【００９９】
さらに本発明では、細線パッチと粗線パッチとに基づいて得られた２つの水濃度係数Ｄｗｆ０、Ｄｗｒ０を、以下に示すように所定の割合ｊ（１＞ｊ＞０）で融合して最終的に使用する水濃度係数Ｄｗｖを演算するようにしている。
【０１００】
Ｄｗｖ＝ｊ・Ｄｗｆ０＋（１−ｊ）・Ｄｗｒ０  ・・（１２）
これにより細線パッチと粗線パッチとの両方の湿し水変化に対する特性を合わせ持たせて、比較的湿し水の変化に対し機敏でかつ安定した傾向を得ることができた。なお、本出願人による実験では、前記割合ｊはｊ＝０．１〜０．２前後が好ましい。
【０１０１】
上記で得た最終的な水濃度係数Ｄｗｖを所定の閾値と比較して何れの範囲に入るかを判定し、それによって湿し水量の大小を判断することができる。例えば、水濃度係数Ｄｗｖを以下の水量判定レベル１〜５の範囲に割り当てる。ただしＡ〜Ｄは試験的な印刷結果から求めた閾値である。
【０１０２】
レベル１．湿し水過剰              ・・  Ｄｗｖ＞＝Ａ
レベル２．湿し水適正（多め）      ・・  Ａ＞Ｄｗｖ＞＝Ｂ
レベル３．湿し水適正              ・・  Ｂ＞Ｄｗｖ＞＝Ｃ
レベル４．湿し水適正（少なめ）    ・・  Ｃ＞Ｄｗｖ＞＝Ｄ
レベル５．湿し水不足              ・・  Ｄ＞Ｄｗｖ
【０１０３】
上記のように水量判定レベルを表示することにより、オペレータにとって理解しやすい形式で現在の湿し水量の状態を表示することができる。
【０１０４】
一方、制御部１４０は演算した水濃度係数Ｄｗｖに基づいて湿し水量の自動調整を行う。すなわち前記水濃度係数Ｄｗｖを予め設定された基準となる水濃度係数の規定値Ｄｗｖ０と比較して、その差分だけ湿し水供給装置による湿し水供給量を可変する。１つの例として、前記水濃度係数の差分に基づいて水元ローラ３２の回転量を増減する方法がある。補正後の水元ローラの回転数をＲ２、補正前の水元ローラの回転数をＲ１、湿し水供給装置のループゲイン(係数)をＫｗ、前記規定値をＤｗｖ０としたとき、以下の式により補正すべき水元ローラの回転数Ｒ２を求めることができる。
【０１０５】
Ｒ２＝Ｒ１−Ｋｗ・（Ｄｗｖ―Ｄｗｖ０）  ・・（１３）
なお、上記では水元ローラ３２の回転数により湿し水量を調整するようにしているが、その他の条件、例えば水ローラ３３、３４などのニップ圧などを変更するようにしてもよい。
【０１０６】
最後に、上述したように細万線パッチと粗万線パッチとにより得られた水濃度係数を各々所定の割合で加算した場合の実験例を示す。図１２は、上記水濃度係数Ｄｗｖ、Ｄｗｆ０、Ｄｗｒ０の変移例を示すグラフである。当該グラフは横軸に印刷枚数、縦軸に水濃度係数を示し、細い線は細線パッチにより求めた水濃度係数Ｄｗｆ０、太い線は粗線パッチにより求めた水濃度係数Ｄｗｒ０を表し、一点鎖線は両水濃度係数Ｄｗｆ０、Ｄｗｒ０をｊ＝０．２の割合で加算した水濃度係数Ｄｗｖを表す。
【０１０７】
この例では印刷枚数の約２００枚毎に湿し水量を±６％程度上下動させて、各水濃度係数Ｄｗｆ０、Ｄｗｒ０、Ｄｗｖが変化するようにしている。（図中の三角印で＋６％、−６％、と記載された時点が、湿し水をそれぞれ設定値から６％増加した時点、６％減少した時点、を表す。）
【０１０８】
従って図に示すように、湿し水量を変化させた後、それに追随するように各水濃度係数も変化しているが、細線パッチによる水濃度係数Ｄｗｆ０がもっとも機敏に変化し、粗線パッチによる水濃度係数Ｄｗｒ０の変化は比較的安定している。上記細線パッチによる水濃度係数Ｄｗｆ０自体をそのまま制御に用いれば、変化が大きいため湿し水の供給動作が過剰になり不安定になる。また粗線パッチによる水濃度係数Ｄｗｒ０自体をそのまま制御に用いれば、変化量が緩やかであまり俊敏な対応ができない。本発明では、上記２つのパッチによる水濃度係数をｊ＝０．２の割合で加算することで適正な水濃度係数Ｄｗｖを得ており、比較的機敏でかつ安定した特性を得ることができる。なお割合ｊについては、印刷環境やインキの特性などに応じて適宜設定を変更すればよい。
【０１０９】
［その他の実施の形態］
上記の実施の形態で示した演算例は一例であり、種々の変形例が考えられる。以下、主要な変形例について説明する。
【０１１０】
（１）上記実施の形態では、水濃度係数Ｄｗｆ０とＤｗｒ０とを所定の割合で加算しているが、両者の差分を求めるように所定の割合で減算してもよい。例えば演算式としては以下のようになる。
Ｄｗｖ＝ｉ・Ｄｗｆ０＋ｊ・Ｄｗｒ０＋ｋ０    ・・（１４）
ただし、係数ｉ，ｊは０以下の負の値も取りうるように、例えば１〜―１の範囲を取る。また係数ｋ０は適宜定めたオフセット値である。
【０１１１】
例えば、図１３は、前記図１２で示す実測値を使用して、細万線パッチに基づく水濃度係数Ｄｗｆ０から粗万線パッチに基づく水濃度係数Ｄｗｒ０を減算した値に一定のオフセット値ｋ０＝５を加算して求めた水濃度係数Ｄｗｖの変遷状態を示すグラフである。このように演算しても両パッチの特性を加味した水濃度係数Ｄｗｖが得られるので、有効な制御を行うことができる。
【０１１２】
（２）上記実施の形態では、水濃度係数Ｄｗｆ０、Ｄｗｒ０を複数のインキキーに対応する水濃度係数Ｄｗｆ１〜Ｄｗｆ３、Ｄｗｒ１〜Ｄｗｒ３を用いて（１０）、（１１）式により演算するようにしているが、いずれか１つのインキキーの水濃度係数を代表的に用いるようにしてもよい。もしくは水濃度係数Ｄｗｆ０，Ｄｗｒ０は、複数キー領域の水濃度係数を一般的な等価加算やその他の重み付け加算などにより求めるようにしてもよい。
【０１１３】
（３）上記実施の形態では、水濃度係数Ｄｗを用いて湿し水量の制御を行うようにしているが、前記係数Ｎｆ，Ｎｒを直接的に用いて湿し水量の制御を行うようにしてもよい。この場合は上記実施の形態と同様に、係数Ｎｆ、Ｎｒを所定の割合により融合して係数Ｎを求め、この係数Ｎを所定の値に維持するように湿し水量を調整すればよい。具体的には以下の式により係数Ｎが求められる。
【０１１４】
Ｎ＝ｉ・Ｎｆ＋ｊ・Ｎｒ  ・・（１５）
ただしｉ，ｊは１〜−１の範囲で予め定めた係数である。
【０１１５】
しかしながら、前記係数Ｎ（Ｎｆ、Ｎｒを含む）は、ドットゲイン効果によって湿し水量に対する変化がきわめて大きいことから、上述した係数Ｎ（Ｎｆ、Ｎｒ）を直接制御するのではなく、前記水濃度係数Ｄｗを制御するほうが好ましい。
【０１１６】
（４）上記実施の形態（３）に示すように係数Ｎｆ、Ｎｒを所定の割合で加算して係数Ｎを求めた後、この係数Ｎに対して水濃度係数Ｄｗｖを求めるようにしてもよい。
【０１１７】
【発明の効果】
本発明の湿し水供給方法では、湿し水の変化に対して機敏に濃度変化する細万線パッチと、湿し水の変化に対して比較的安定した変化を示す粗万線パッチと、を用い、両者により測定した係数Ｎまたは水濃度係数Ｄｗを所定の割合により融合して用いるようにしているため、湿し水の変化に対して比較的適切な制御が行える。
【図面の簡単な説明】
【図１】この発明を適用する印刷装置の側面概要図である。
【図２】印刷版Ｐ上における画像領域６７の配置を示す説明図である。
【図３】インキ供給部７２の側面概要図である。
【図４】インキ供給部７２の平面図である。
【図５】湿し水供給装置２１ｂの側面概要図である。
【図６】撮像部４０をチェーン１９とともに示す側面概要図である。
【図７】印刷装置の主要な電気的構成を示すブロック図である。
【図８】印刷装置による製版および印刷動作の概要を示すフローチャートである。
【図９】製版工程を示すフローチャートである。
【図１０】第１の検出パッチ１０１および第２の検出パッチ１０２を示す説明図である。
【図１１】各種の検出パッチを模式的に示す説明図である。
【図１２】湿し水量の変化に対する水濃度係数の変遷状態例を示すグラフであり、細万線パッチで得た水濃度係数と粗万線パッチで得た水濃度係数とを加算した水濃度係数の変遷状態を示すグラフである。
【図１３】湿し水量の変化に対する水濃度係数の変遷状態例を示すグラフであり、細万線パッチで得た水濃度係数から粗万線パッチで得た水濃度係数を減算した水濃度係数の変遷状態を示すグラフである。
【符号の説明】
２          インキキー
２１        湿し水供給装置
３２        水元ローラ
３３、３４  水ローラ
４０        撮像部
１００      印刷用紙
１０１      第１の検出パッチ
１０２      第２の検出パッチ
１０３      第３の検出パッチ
１４０      制御部
Ｄｓ        第１の検出パッチの濃度
Ｄｆ        第２の検出パッチの濃度
Ｄｒ        第３の検出パッチの濃度
Ｎ          ユール・ニールセンの式における係数
Ｎｆ        第１および第２の検出パッチから得た係数Ｎ
Ｎｒ        第１および第３の検出パッチから得た係数Ｎ
Ｄｗ        係数Ｎに基づいて演算される水濃度係数
Ｄｗｆ      係数Ｎｆに基づく水濃度係数Ｄｗ
Ｄｗｒ      係数Ｎｒに基づく水濃度係Ｄｗ
Ｄｗｆ０    各キー領域の水濃度係数Ｄｗｆを重み付けして加算した水濃度係数
Ｄｗｒ０    各キー領域の水濃度係数Ｄｗｒを重み付けして加算した水濃度係数
ｊ          水濃度係数Ｄｗｆ０、Ｄｗｒ０を加算する割合
ｉ          係数Ｎｆ，Ｎｒを加算する割合
Ｓ          印刷用紙
【図１】
0004248801.tif 000002
【図２】
0004248801.tif 000003
【図３】
0004248801.tif 000004
【図４】
0004248801.tif 000005
【図５】
0004248801.tif 000006
【図６】
0004248801.tif 000007
【図７】
0004248801.tif 000008
【図８】
0004248801.tif 000009
【図９】
0004248801.tif 000010
【図１０】
0004248801.tif 000011
【図１１】
0004248801.tif 000012
【図１２】
0004248801.tif 000013
【図１３】
0004248801.tif 000014